(57)【要約】【課題】  電力供給において、電池の性能を十分に発揮できる電源制御装置およびカメラを提供すること。【解決手段】  第１の電池と接続可能な第１接続部と、第２の電池と接続可能な第２接続部と、第１の電池および第２の電池の少なくとも一方から、電力供給対象の機器へと電力を供給可能であって、第１負荷動作の際は第１の電池から機器へと電力を供給する第１電力供給を行い、第１負荷動作よりも負荷の大きい第２負荷動作の際は第１の電池および第２の電池の両方から機器へと電力を供給する第２電力供給を行う供給手段とを備える。【選択図】      図２
2007017702.tif 000002
【特許請求の範囲】
【請求項１】
第１の電池と接続可能な第１接続部と、
第２の電池と接続可能な第２接続部と、
前記第１の電池および前記第２の電池の少なくとも一方から、電力供給対象の機器へと電力を供給可能であって、第１負荷動作の際は前記第１の電池から前記機器へと電力を供給する第１電力供給を行い、第１負荷動作よりも負荷の大きい第２負荷動作の際は前記第１の電池および前記第２の電池の両方から前記機器へと電力を供給する第２電力供給を行う供給手段と
を備えたことを特徴とする電源制御装置。
【請求項２】
請求項１に記載の電源制御装置において、
前記供給手段は、前記第２負荷動作の開始のタイミングと同期して、前記第１電力供給から、前記第２電力供給に切り換える供給切換スイッチを含む
ことを特徴とする電源制御装置。
【請求項３】
請求項２に記載の電源制御装置において、
前記機器は、モータと、前記モータの駆動制御を切り換える駆動切換スイッチとを含み、
前記供給手段は、前記駆動切換スイッチを、前記供給切換スイッチとして兼用する
ことを特徴とする電源制御装置。
【請求項４】
請求項１に記載の電源制御装置において、
前記第１負荷動作から前記第２負荷動作への動作の切り換えを検知する切換検知手段をさらに備え、
前記供給手段は、前記切換検知手段の検知に基づいて、前記第１電力供給を、前記第２電力供給に切り換える
ことを特徴とする電源制御装置。
【請求項５】
請求項１に記載の電源制御装置において、
前記第２負荷動作の終了を検知する第２動作終了検知手段をさらに備え、
前記供給手段は、第２動作終了検知手段により前記第２負荷動作の終了を検知すると、前記第２電力供給から前記第１電力供給に切り換える
ことを特徴とする電源制御装置。
【請求項６】
第１の電池と接続可能な第１接続部と、
第２の電池と接続可能な第２接続部と、
前記第１の電池および前記第２の電池の電池残量を判別する残量判別手段と、
前記第１の電池および前記第２の電池の少なくとも一方から、電力供給対象の機器へと電力を供給可能であって、前記残量判別手段により前記第１の電池および前記第２の電池の少なくとも一方の電池残量が所定値未満であると判別すると、前記第１の電池および前記第２の電池の両方から前記機器へと電力を供給する供給手段と
を備えたことを特徴とする電源制御装置。
【請求項７】
請求項６に記載の電源制御装置において、
前記供給手段は、前記残量判別手段により前記第１の電池および前記第２の電池の電池残量が前記所定値以上であると判別すると、前記第１の電池から前記機器へと電力を供給する
ことを特徴とする電源制御装置。
【請求項８】
第１の電池と接続可能な第１接続部と、
第２の電池と接続可能な第２接続部と、
温度を測定する温度測定手段と、
前記第１の電池および前記第２の電池の少なくとも一方から、電力供給対象の機器へと電力を供給可能であって、前記温度測定手段により測定した温度が前記所定値未満である場合は、前記第１の電池および前記第２の電池の両方から前記機器へと電力を供給する供給手段と
を備えたことを特徴とする電源制御装置。
【請求項９】
請求項８に記載の電源制御装置において、
前記供給手段は、前記温度測定手段により測定した温度が前記所定値以上である場合は、前記第１の電池から前記機器へと電力を供給する
ことを特徴とする電源制御装置。
【請求項１０】
複数の電池と接続可能な接続部と、
前記接続部に接続された電池の個数を判別する個数判別手段と、
前記接続部に接続された前記複数の電池のうち少なくとも１個の電池から、電力供給対象の機器へと電力を供給可能であって、複数の電池が前記接続部に接続されたと前記個数判別手段が判別することに基づき、前記複数の電池のうち少なくとも２個の電池から前記機器へと電力を供給し、１個の電池が前記接続部に接続されたと前記個数判別手段が判別することに基づき、前記１個の電池から前記機器へと電力を供給する供給手段と
を備えたことを特徴とする電源制御装置。
【請求項１１】
請求項１から請求項１０の何れか１項に記載の電源制御装置を備えた
ことを特徴とするカメラ。
【請求項１２】
被写体像を撮像素子または写真用フィルムに結像する撮影光学系と、
非撮像時に第１絞りポジションに配置され、撮像時に前記第１絞りポジションから開口部分を変化させることにより前記撮影光学系の光束を調整する絞りと、
非撮像時に第１シャッタポジションに配置されることにより前記撮影光学系から前記撮像素子または前記写真用フィルムへの光を遮光し、撮像時に前記第１シャッタポジションから移動することにより前記遮光を解除するシャッタと、
被写界を観察するためのファインダ光学系と、
非撮像時に前記撮影光学系からの光束を前記ファインダ光学系に導く第１ミラーポジションと、撮像時に前記撮影光学系から前記撮像素子または前記写真用フィルムに至る光路から退避する第２ミラーポジションとに選択的に配置される可動式のミラーと、
第１の電池と接続可能な第１接続部と、
第２の電池と接続可能な第２接続部と、
前記第１の電池および前記第２の電池の少なくとも一方から、電力供給対象の機器へと電力を供給可能であって、撮像後に、前記絞りを第１絞りポジションに戻す動作と前記シャッタを第１シャッタポジションに戻す動作と前記ミラーを第１ミラーポジションに戻す動作との少なくとも１つの動作の際は、前記第１の電池および前記第２の電池の両方から前記機器へと電力を供給する供給手段と
を備えたことを特徴とするカメラ。
【請求項１３】
撮影光学系を介した被写体像を撮像する撮像手段と、
前記撮影光学系の焦点を調節する焦点調節手段と、
前記撮影光学系が合焦したか否かを判断する合焦判断手段と、
前記撮影レンズが合焦したと前記合焦判断手段が判断することに基づいて、前記焦点調節手段による焦点調節動作を終了する第１の焦点調節モードと、前記撮影レンズが合焦したと前記合焦判断手段が判断した後も前記焦点調節手段による焦点調節動作を継続して行う第２の焦点調節モードとの何れかの焦点調節モードを設定する焦点調節モード設定手段と、
第１の電池と接続可能な第１接続部と、
第２の電池と接続可能な第２接続部と、
前記第１の電池および前記第２の電池の少なくとも一方から、電力供給対象の機器へと電力を供給可能であって、前記焦点調節モード設定手段の設定に応じて前記第１の電池から前記機器へ電力を供給する第１電力供給と、前記第１の電池および前記第２の電池の両方から前記機器へ電力を供給する第２電力供給との何れかを設定する供給手段と
を備えたことを特徴とするカメラ。
【請求項１４】
請求項１３に記載のカメラにおいて、
前記供給手段は、前記焦点調節モード設定手段が前記第１の焦点調節モードを設定することに基づいて前記第１電力供給を設定し、前記焦点調節モード設定手段が前記第２の焦点調節モードを設定することに基づいて前記第２電力供給を設定する
ことを特徴とするカメラ。                                                                              
【発明の詳細な説明】
【技術分野】
【０００１】
本発明は、電池から電力供給対象の機器への電源の制御を行う電源制御装置および電源制御装置を備えたカメラに関する。
【背景技術】
【０００２】
カメラやコンピュータなどの機器においては、複数の電池を電源として使用する場合がある。このような場合に、複数の電池のうち任意の電池を選択して電力の供給を行う技術が考えられている（例えば、特許文献１参照）。特許文献１の電源装置では、必要な電力に応じて、手動で任意の電池を選択することができる。
【特許文献１】特開２００１−２１９７４号公報
【発明の開示】
【発明が解決しようとする課題】
【０００３】
しかし、上述した特許文献１の電源装置では、電池の選択を手動で行う際にユーザの経験や知識が必要とされる。また、経験や知識があるユーザであっても、電池を選択するのを忘れることが懸念される。
本発明は、上記問題に鑑みてなされたものであり、電力供給において、電池の性能を十分に発揮できる電源制御装置およびカメラを提供することを目的とする。
【課題を解決するための手段】
【０００４】
本発明の電源制御装置は、第１の電池と接続可能な第１接続部と、第２の電池と接続可能な第２接続部と、前記第１の電池および前記第２の電池の少なくとも一方から、電力供給対象の機器へと電力を供給可能であって、第１負荷動作の際は前記第１の電池から前記機器へと電力を供給する第１電力供給を行い、第１負荷動作よりも負荷の大きい第２負荷動作の際は前記第１の電池および前記第２の電池の両方から前記機器へと電力を供給する第２電力供給を行う供給手段とを備える。
【０００５】
なお、好ましくは、前記供給手段は、前記第２負荷動作の開始のタイミングと同期して、前記第１電力供給から、前記第２電力供給に切り換える供給切換スイッチを含むようにしても良い。
また、好ましくは、前記機器は、モータと、前記モータの駆動制御を切り換える駆動切換スイッチとを含み、前記供給手段は、前記駆動切換スイッチを、前記供給切換スイッチとして兼用しても良い。
【０００６】
また、好ましくは、前記第１負荷動作から前記第２負荷動作への動作の切り換えを検知する切換検知手段をさらに備え、前記供給手段は、前記切換検知手段の検知に基づいて、前記第１電力供給を、前記第２電力供給に切り換えても良い。
また、好ましくは、前記第２負荷動作の終了を検知する第２動作終了検知手段をさらに備え、前記供給手段は、第２動作終了検知手段により前記第２負荷動作の終了を検知すると、前記第２電力供給から前記第１電力供給に切り換えても良い。
【０００７】
本発明の別の電源制御装置は、第１の電池と接続可能な第１接続部と、第２の電池と接続可能な第２接続部と、前記第１の電池および前記第２の電池の電池残量を判別する残量判別手段と、前記第１の電池および前記第２の電池の少なくとも一方から、電力供給対象の機器へと電力を供給可能であって、前記残量判別手段により前記第１の電池および前記第２の電池の少なくとも一方の電池残量が所定値未満であると判別すると、前記第１の電池および前記第２の電池の両方から前記機器へと電力を供給する供給手段とを備える。
【０００８】
なお、好ましくは、前記供給手段は、前記残量判別手段により前記第１の電池および前記第２の電池の電池残量が前記所定値以上であると判別すると、前記第１の電池から前記機器へと電力を供給しても良い。
本発明の別の電源制御装置は、第１の電池と接続可能な第１接続部と、第２の電池と接続可能な第２接続部と、温度を測定する温度測定手段と、前記第１の電池および前記第２の電池の少なくとも一方から、電力供給対象の機器へと電力を供給可能であって、前記温度測定手段により測定した温度が前記所定値未満である場合は、前記第１の電池および前記第２の電池の両方から前記機器へと電力を供給する供給手段とを備える。
【０００９】
なお、好ましくは、前記供給手段は、前記温度測定手段により測定した温度が前記所定値以上である場合は、前記第１の電池から前記機器へと電力を供給しても良い。
本発明の別の電源制御装置は、複数の電池と接続可能な接続部と、前記接続部に接続された電池の個数を判別する個数判別手段と、前記接続部に接続された前記複数の電池のうち少なくとも１個の電池から、電力供給対象の機器へと電力を供給可能であって、複数の電池が前記接続部に接続されたと前記個数判別手段が判別することに基づき、前記複数の電池のうち少なくとも２個の電池から前記機器へと電力を供給し、１個の電池が前記接続部に接続されたと前記個数判別手段が判別することに基づき、前記１個の電池から前記機器へと電力を供給する供給手段とを備える。
【００１０】
本発明のカメラは、上述した何れかの電源制御装置を備える。
本発明の別のカメラは、被写体像を撮像素子または写真用フィルムに結像する撮影光学系と、非撮像時に第１絞りポジションに配置され、撮像時に前記第１絞りポジションから開口部分を変化させることにより前記撮影光学系の光束を調整する絞りと、非撮像時に第１シャッタポジションに配置されることにより前記撮影光学系から前記撮像素子または前記写真用フィルムへの光を遮光し、撮像時に前記第１シャッタポジションから移動することにより前記遮光を解除するシャッタと、被写界を観察するためのファインダ光学系と、非撮像時に前記撮影光学系からの光束を前記ファインダ光学系に導く第１ミラーポジションと、撮像時に前記撮影光学系から前記撮像素子または前記写真用フィルムに至る光路から退避する第２ミラーポジションとに選択的に配置される可動式のミラーと、第１の電池と接続可能な第１接続部と、第２の電池と接続可能な第２接続部と、前記第１の電池および前記第２の電池の少なくとも一方から、電力供給対象の機器へと電力を供給可能であって、撮像後に、前記絞りを第１絞りポジションに戻す動作と前記シャッタを第１シャッタポジションに戻す動作と前記ミラーを第１ミラーポジションに戻す動作との少なくとも１つの動作の際は、前記第１の電池および前記第２の電池の両方から前記機器へと電力を供給する供給手段とを備える。
【００１１】
本発明の別のカメラは、撮影光学系を介した被写体像を撮像する撮像手段と、前記撮影光学系の焦点を調節する焦点調節手段と、前記撮影光学系が合焦したか否かを判断する合焦判断手段と、前記撮影レンズが合焦したと前記合焦判断手段が判断することに基づいて、前記焦点調節手段による焦点調節動作を終了する第１の焦点調節モードと、前記撮影レンズが合焦したと前記合焦判断手段が判断した後も前記焦点調節手段による焦点調節動作を継続して行う第２の焦点調節モードとの何れかの焦点調節モードを設定する焦点調節モード設定手段と、第１の電池と接続可能な第１接続部と、第２の電池と接続可能な第２接続部と、前記第１の電池および前記第２の電池の少なくとも一方から、電力供給対象の機器へと電力を供給可能であって、前記焦点調節モード設定手段の設定に応じて前記第１の電池から前記機器へ電力を供給する第１電力供給と、前記第１の電池および前記第２の電池の両方から前記機器へ電力を供給する第２電力供給との何れかを設定する供給手段とを備える。
【００１２】
なお、好ましくは、前記供給手段は、前記焦点調節モード設定手段が前記第１の焦点調節モードを設定することに基づいて前記第１電力供給を設定し、前記焦点調節モード設定手段が前記第２の焦点調節モードを設定することに基づいて前記第２電力供給を設定しても良い。
【発明の効果】
【００１３】
本発明によれば、電力供給において、電池の性能を十分に発揮できる電源制御装置およびカメラを提供することができる。
【発明を実施するための最良の形態】
【００１４】
＜第１実施形態＞
以下、図面を用いて本発明の第１実施形態について説明する。第１実施形態では、本発明の電源制御装置を備えた電子カメラを例に挙げて説明を行う。
図１は、第１実施形態の電子カメラ１の外観図である。電子カメラ１は、一眼レフタイプの電子カメラである。電子カメラ１は、図１Ａに示すように、カメラ本体２とバッテリーパック３とから構成される。バッテリーパック３は、カメラ本体２に対して着脱可能である。カメラ本体２は、光学ファインダ４、表示部５、電池室６、三脚座７を備える。光学ファインダ４および表示部５は、カメラ本体２の背面に設けられる。光学ファインダ４は、ユーザによる構図確認に利用される。表示部５は、液晶素子などを備え、電子カメラ１により生成された画像の表示に利用される。電池室６は、カメラ本体２の内部に設けられる。三脚座７は、カメラ本体２の底面に設けられる。電池室６は、電子カメラ１に使用可能な電池または後述するバッテリーパック３の一部を充填するためのスペースである。三脚座７は、電子カメラ１を固定して撮影を行うための三脚を着脱可能な凹部を有する。
【００１５】
バッテリーパック３は、煙突部８、接点９、取り付けネジ１０、電池室１１、蓋１２を備える。煙突部８および取り付けネジ１０は、バッテリーパック３の上面に設けられる。接点９は、２つの突起を有し、煙突部８の上面に設けられる。煙突部８は、前述したカメラ本体２の電池室６に充填可能である。接点９は、煙突部８が電池室６に充填された状態で、カメラ本体２と電気的に接続する。取り付けネジ１０は、前述したカメラ本体２の三脚座７に対してバッテリーパック３を着脱可能なネジである。電池室１１は、バッテリーパック３の内部に設けられる。電池室１１は、バッテリーパック３に使用可能な電池を充填するためのスペースである。蓋１２は、電池室１１の入口部分に設けられ、開閉可能である。
【００１６】
バッテリーパック３は、図１Ｂに示すように、カメラ本体２に対して着脱可能である。煙突部８をカメラ本体２の電池室６に充填し、取り付けネジ１０をカメラ本体２の三脚座７に対して取り付けることにより、カメラ本体２にバッテリーパック３が接続される。なお、第１実施形態では、バッテリーパック３の電池室１１には、二次電池である電池１５Ａおよび電池１５Ｂの２つの電池が充填可能である。
【００１７】
図２は、電子カメラ１の機能ブロック図である。電子カメラ１は、撮影レンズ２１、絞り２２、ミラー２３、シャッタ２４、ＣＣＤ２５、画像処理回路２６、メモリ２７を備える。撮影レンズ２１は、被写体像をＣＣＤ２５の撮像面に結像する撮影光学系である。絞り２２は、開口部分の大きさを変化させることにより撮影レンズ２１の光束を調整する。電子カメラ１は、絞り用電磁石２２Ａと駆動回路２２Ｂとを備える。絞り用電磁石２２Ａは、絞り２２に隣接して配置される。駆動回路２２Ｂは、絞り用電磁石２２Ａを駆動する。ミラー２３は、可動式のミラーである。ミラー２３は、非撮影時である通常状態（図２実線の状態）では、撮影レンズ２１からの光束を前述した光学ファインダ４に導く。また、ミラー２３が、撮影レンズ２１からＣＣＤ２５に至る光路から退避する跳ね上げ状態（図２破線の状態）にある場合には、撮影レンズ２１からの光束がＣＣＤ２５に導かれる。電子カメラ１は、ミラー用電磁石２３Ａと駆動回路２３とを備える。ミラー用電磁石２３Ａは、ミラー２３に隣接して配置される。駆動回路２３Ｂは、ミラー用電磁石２３Ａを駆動する。シャッタ２４は、不図示のシャッタ幕を備える。シャッタ２４は、非撮像時にシャッタ幕を閉じることにより、撮影レンズ２１からＣＣＤ２５への光束を遮光する。また、シャッタ２４は、撮像時にシャッタ幕を開くことにより遮光を解除し、その結果、撮影レンズ２１からの光束がＣＣＤ２５へ導かれる。電子カメラ１は、シャッタ用電磁石２４Ａと駆動回路２４Ｂとを備える。シャッタ用電磁石２４Ａは、シャッタ２４に隣接して配置される。駆動回路２４Ｂは、シャッタ用電磁石２４Ａを駆動する。ＣＣＤ２５は、撮影レンズ２１を介した被写体像を光電変換し、画像データを生成する撮像素子である。画像処理回路２６は、ＣＣＤ２５により生成された画像データに、ホワイトバランス調整などの画像処理を施す。なお、画像処理の具体的な方法は公知技術と同様であるため、説明を省略する。メモリ２７は、画像処理回路２６により画像処理が施された画像データを記録する。
【００１８】
また、電子カメラ１は、レンズ用ギア２８、絞り用ギア２９、ミラー用ギア３０、シャッタ用ギア３１、ＣＣＤ駆動回路３２を備える。レンズ用ギア２８は、撮影レンズ２１に接触して配置される。絞り用ギア２９は、絞り２２に接触して配置される。ミラー用ギア３０は、ミラー２３に接触して配置される。シャッタ用ギア３１は、シャッタ２４に接触して配置される。ＣＣＤ駆動回路３２は、ＣＣＤ２５を駆動して撮影レンズ２１を介した被写体像を光電変換し、画像データを生成させる。
【００１９】
また、電子カメラ１は、レンズ用モータ３３、メインモータ３４、レンズ用モータ駆動回路３５、メインモータ駆動回路３６を備える。レンズ用モータ３３は、撮影レンズ２１の焦点調節のために、レンズ用ギア２８を駆動して撮影レンズ２１の位置を調節する。また、メインモータ３４は、撮像後に、絞り２２の絞り開口が最大となるように、絞り用ギア２９を駆動する。また、メインモータ３４は、撮像後にミラー用ギア３０を駆動して、ミラー２３を通常状態の位置に移動する。メインモータ３４は、シャッタ用ギア３１を駆動してシャッタ２４のシャッタ幕を閉じる（遮光する）。レンズ用モータ駆動回路３５は、レンズ用モータ３３の駆動を制御する。メインモータ駆動回路３６は、メインモータ３４の駆動を制御する。
【００２０】
また、電子カメラ１は、電力供給回路３７、レリーズスイッチ３８、駆動切換スイッチ３９、ギア列４０を備える。電力供給回路３７は、前述したバッテリーパック３に充填された電池１５Ａおよび電池１５Ｂからレンズ用モータ３３とメインモータ３４とを含む電子カメラ１の各部へと電力を供給する。なお、電力供給回路３７による電力供給の具体的な方法については、後述する。レリーズスイッチ３８は、不図示のレリーズボタンと接続される。そして、レリーズスイッチ３８は、ユーザによる撮像動作の実行指示の有無に応じてＯＮ、ＯＦＦを切り換える。駆動切換スイッチ３９は、メインモータ３４の駆動状態に連動したスイッチである。ギア列４０は、駆動切換スイッチ３９に接触して配置される。前述したメインモータ３４は、ギア列４０を駆動して駆動切換スイッチ３９を制御させる。なお、絞り用ギア２９、ミラー用ギア３０、シャッタ用ギア３１は、それぞれギア列４０と直接的または間接的に接触して配置される。
【００２１】
図３は、駆動切換スイッチ３９について説明する図である。駆動切換スイッチ３９は、ギア列４０を介してメインモータ３４と接触する。したがって、駆動切換スイッチ３９は、メインモータ３４の駆動状態に連動してスイッチの切り換えを行うことができる。駆動切換スイッチ３９は、図３Ａに示すように、３つの電極（４５Ａ、４５Ｂ、４５Ｃ）とパターン板４６と電極部４７とから構成される。電極４５Ａはグラウンド状態に対応する電極である。電極４５Ｂは、ＳＷ１に対応する電極である。電極４５Ｃは、ＳＷ２に対応する電極である。パターン板４６は円形の形状を有し、メインモータ３４の駆動に連動して回転する。電極部４７は、パターン板４６の表面に形成される（図４中斜線の部分）。
【００２２】
パターン板４６の回転に応じて、電極４５Ｂおよび電極４５Ｃの電極部４７に対する接触状態は変化する。図中の一点鎖線で示される位置が、電極４５Ａ、４５Ｂ、４５Ｃの接点の位置である。一方、グラウンド状態に対応する電極４５Ａと電極部４７とは常に接触した状態である。駆動切換スイッチ３９は、グラウンド状態に対応する電極４５Ａを基準として、電極４５Ｂおよび電極４５Ｃの電極部４７に対する接触状態を検知して、後述するＣＰＵ４１に結果を供給する。具体的には、初期状態である図３Ａにおいて、電極４５Ｂおよび電極４５Ｃは、それぞれ電極部４７と接点で接触している。この場合、駆動切換スイッチ３９は、ＳＷ１がＬｏ、かつ、ＳＷ２がＬｏであると検知し、後述するＣＰＵ４１に結果を供給する。図３Ｂにおいて、電極４５Ｂおよび電極４５Ｃは、それぞれ電極部４７と接点で接触していない。この場合、駆動切換スイッチ３９は、ＳＷ１がＨｉ、かつ、ＳＷ２がＨｉであると検知し、後述するＣＰＵ４１に結果を供給する。図３Ｃにおいて、電極４５Ｂは、電極部４７と接点で接触している。また、電極４５Ｃは、電極部４７と接点で接触していない。この場合、駆動切換スイッチ３９は、ＳＷ１がＬｏ、かつ、ＳＷ２がＨｉであると検知し、後述するＣＰＵ４１に結果を供給する。図３Ｄは、図３Ａと同様の状態である。
【００２３】
メインモータ３４は、撮像動作の際に、各動作の負荷の大きさに応じて、出力を変化させる。すなわち、メインモータ３４は、図３に示すように、まず３０％で出力し、以降、８０％、６０％と出力変化し、最終的に出力０％とする。電極部４７の形状は、このようなメインモータ３４の駆動に応じて定められる。すなわち、電極部４７の形状は、撮像動作開始時には図３Ａに示すように、駆動切換スイッチ３９のＳＷ１がＬｏ、かつ、ＳＷ２がＬｏになるような形状である。また、電極部４７の形状は、メインモータ３４の出力が８０％になる際には図３Ｂに示すように、駆動切換スイッチ３９のＳＷ１がＨｉ、かつ、ＳＷ２がＨｉになるような形状である。また、電極部４７の形状は、メインモータ３４の出力が６０％になる際には図３Ｃに示すように、駆動切換スイッチ３９のＳＷ１がＬｏ、かつ、ＳＷ２がＨｉになるような形状である。なお、図３に示したメインモータ３４の出力の変化は一例であり、カメラの構成や処理の内容によって異なる。何れの場合も、電極部４７の形状は、メインモータ３４の駆動に応じて定められる。
【００２４】
また、電子カメラ１は、内部に不図示のメモリを備えたＣＰＵ４１を備える。ＣＰＵ４１は、絞り用電磁石２２Ａ用の駆動回路２２Ｂ、ミラー用電磁石２３Ａ用の駆動回路２３Ｂ、シャッタ用電磁石２４Ａ用の駆動回路２４Ｂ、画像処理回路２６、メモリ２７、ＣＣＤ駆動回路３２、レンズ用モータ駆動回路３５、メインモータ駆動回路３６、電力供給回路３７の各部を制御する。また、ＣＰＵ４１は、レリーズスイッチ３８および駆動切換スイッチ３９の状態を検知する。また、ＣＰＵ４１は、内部の不図示のメモリに、各部を制御するためのプログラムを予め記録する。
【００２５】
以上説明した構成の電子カメラ１における電力供給時のＣＰＵ４１の動作について、図４のフローチャートを用いて説明する。
ステップＳ１において、ＣＰＵ４１は、電子カメラ１の電源がＯＮされたか否かを判定する。そして、ＣＰＵ４１は、電源がＯＮされるとステップＳ２に進む。
ステップＳ２において、ＣＰＵ４１は、電力供給回路３７を制御し、電池１５Ａおよび電池１５Ｂのうち何れかの電池１個から電力供給を行う。なお、電池１５Ａおよび電池１５Ｂのうち、何れの電池を使用するかは予めユーザにより指定されているものとする。
【００２６】
ステップＳ３において、ＣＰＵ４１は、レリーズスイッチ３８がＯＮされたか否かを判定する。そして、ＣＰＵ４１は、レリーズスイッチ３８がＯＮされたと判定するとステップＳ４に進む。
ステップＳ４において、ＣＰＵ４１は、ミラー用電磁石２３Ａを駆動する駆動回路２３Ｂおよび絞り用電磁石２２Ａを駆動する駆動回路２２Ｂに駆動命令を出力する。
【００２７】
ミラー用電磁石２３Ａを駆動する駆動回路２３Ｂは、ＣＰＵ４１の駆動命令に基づいて、ミラー用電磁石２３ＡをＯＮにする。ミラー用電磁石２３Ａは、ＯＮになることにより、ミラー２３の保持を解除する。ミラー用電磁石２３Ａの保持が解除されたミラー２３は、不図示のばねの付勢力により跳ね上げ状態となる。
絞り用電磁石２２Ａを駆動する駆動回路２２は、ＣＰＵ４１の駆動命令に基づいて、絞り用電磁石２２ＡをＯＮにする。絞り用電磁石２２Ａは、ＯＮになることにより、絞り２２の保持を解除する。絞り用電磁石２２Ａの保持が解除された絞り２２は、不図示のばねの付勢力により絞り込まれる。そして、絞り２２は、予め設定された絞り値まで絞り込まれた位置で不図示の係止部材によって係止される。
【００２８】
絞り値は、予めユーザにより設定されているか、ＣＰＵ４１により設定されているものとする。
ステップＳ５において、ＣＰＵ４１は、駆動回路２４Ｂを駆動することによりシャッタ２４を保持しているシャッタ用電磁石２４Ａを駆動して、シャッタ２４を開放させる。そして、シャッタ用電磁石２４Ａの保持から解放されたシャッタ２４は不図示のばねの付勢力により移動する。
【００２９】
ステップＳ６において、ＣＰＵ４１は、露光が完了したか否かを判定する。そして、ＣＰＵ４１は、露光が完了したと判定するとステップＳ７に進む。
ステップＳ７において、ＣＰＵ４１は、メインモータ駆動回路３６に対してチャージ駆動開始命令を行う。チャージ駆動とは、絞り２２、ミラー２３、シャッタ２４などを撮像前の状態に戻すための駆動である。チャージ駆動開始命令に基づいて、メインモータ駆動回路３６は、メインモータ３４にモータ駆動信号の出力を開始する。メインモータ３４は、モータ駆動信号により回転する。メインモータ３４の回転に連動して駆動切換スイッチ３９のパターン板４６が回転を始める。
【００３０】
ステップＳ８において、ＣＰＵ４１は、駆動切換スイッチ３９のＳＷ１がＨｉ、かつ、ＳＷ２がＨｉであるか否かを判定する。そして、ＣＰＵ４１は、駆動切換スイッチ３９のＳＷ１がＨｉ、かつ、ＳＷ２がＨｉであると判定するとステップＳ９に進む。駆動切換スイッチ３９のＳＷ１がＨｉ、かつ、ＳＷ２がＨｉである状態は、図３Ｂで説明したように、メインモータ３４の出力が８０％になる場合である。
【００３１】
ステップＳ９において、ＣＰＵ４１は、電力供給回路３７を制御し、電池１５Ａおよび電池１５Ｂの両方から電力供給を行う。このとき、電力供給回路３７は、電池１５Ａおよび電池１５Ｂを並列接続して電力供給を行う。
なお、絞り用ギア２９、ミラー用ギア３０およびシャッタ用ギア３１は、ステップＳ７のチャージ駆動開始命令によるメインモータ３４の駆動開始後のステップＳ９のタイミングで、絞り２２、ミラー２３およびシャッタ２４の移動を開始するように設計されている。
【００３２】
メインモータ駆動回路３６は、ＣＰＵ４１の命令に基づいて、絞り２２の絞り開口が最大となるようにメインモータ３４を駆動する。また、メインモータ駆動回路３６は、ＣＰＵ４１の命令に基づいて、ミラー２３を通常状態の位置まで移動するようにメインモータ３４を駆動する。また、メインモータ駆動回路３６は、ＣＰＵ４１の命令に基づいて、シャッタ２４のシャッタ幕が閉じる位置まで移動するようにメインモータ３４を駆動する。
【００３３】
上述の一連の動作は、メインモータ３４の駆動力が絞り用ギア２９、ミラー用ギア３０、シャッタ用ギア３１のそれぞれに伝達されることにより、同時に進行する。
ステップＳ１０において、ＣＰＵ４１は、駆動切換スイッチ３９のＳＷ１がＬｏ、かつ、ＳＷ２がＨｉであるか否かを判定する。そして、ＣＰＵ４１は、駆動切換スイッチ３９のＳＷ１がＬｏ、かつ、ＳＷ２がＨｉであると判定するとステップＳ１１に進む。駆動切換スイッチ３９のＳＷ１がＬｏ、かつ、ＳＷ２がＨｉである状態は、図３Ｃで説明したように、メインモータ３４の出力が６０％になる場合である。
【００３４】
ステップＳ１１において、ＣＰＵ４１は、電力供給回路３７を制御し、ステップＳ２と同様に、電池１５Ａおよび電池１５Ｂのうち何れかの電池１個から電力供給を行う。
ステップＳ１２において、ＣＰＵ４１は、駆動切換スイッチ３９のＳＷ１がＬｏ、かつ、ＳＷ２がＬｏであるか否かを判定する。そして、ＣＰＵ４１は、駆動切換スイッチ３９のＳＷ１がＬｏ、かつ、ＳＷ２がＬｏであると判定するとステップＳ１３に進む。駆動切換スイッチ３９のＳＷ１がＬｏ、かつ、ＳＷ２がＬｏである状態は、図３Ｄで説明したように、メインモータ３４の出力を最終的に０％にする場合である。
【００３５】
ステップＳ１３において、ＣＰＵ４１は、メインモータ駆動回路３６に対してチャージ駆動終了命令を行う。メインモータ駆動回路３６は、チャージ駆動終了命令に基づき、メインモータ３４の駆動を終了する。なお、メインモータ３４が停止すると、メインモータ３４の停止に連動して駆動切換スイッチ３９のパターン板４６が停止する。
そして、ステップＳ１３の処理を終えると、ＣＰＵ４１は、ステップＳ３に戻り、上述の処理を繰り返す。
【００３６】
以上説明したように、第１実施形態によれば、第１の電池および第２の電池の少なくとも一方から電子カメラ（電力供給対象の機器）への電力の供給において、第１負荷動作の際は第１の電池から電子カメラへと電力を供給する第１電力供給を行い、第１負荷動作よりも負荷の大きい第２負荷動作の際は第１の電池および第２の電池の両方から電子カメラへと電力を供給する第２電力供給を行う。したがって、撮像時に変動する動作の負荷に合わせて、電力供給を切り換えることにより、複数ある電池の性能を十分に発揮することができる。
【００３７】
第１実施形態においては、絞り用電磁石２２ＡＯＮ、ミラー用電磁石２３ＡＯＮ、シャッタ用電磁石２４ＡＯＮおよびＣＣＤ２５の駆動が、第１負荷動作である。そして、絞り２２、ミラー２３およびシャッタ２４をメインモータ３４により撮像前の位置に移動することが、第２負荷動作である。第２負荷動作は、第１負荷動作よりも負荷の大きい動作である。
【００３８】
また、第１実施形態によれば、第２負荷動作の開始のタイミングと同期して、第１電力供給から第２電力供給に切り換える。そのため、負荷の大きい動作の開始と同時に第１の電池および第２の電池の両方から電子カメラへの電力の供給を開始することができる。
また、第１実施形態によれば、電子カメラの有する駆動切換スイッチを兼用して、電力の供給を切り換える供給切換スイッチとして使用する。したがって、電子カメラに既存の構成を活用して、正確に電力供給の切換タイミングを把握することができる。
【００３９】
また、第１実施形態によれば、第１負荷動作から第２負荷動作への動作の切り換えの検知に基づいて、第１電力供給を、第２電力供給に切り換える。したがって、第２負荷動作の開始のタイミングと同期して電力供給を切り換えることができる。
また、第１実施形態によれば、被写体像を撮像素子に結像する撮影光学系と、非撮像時に第１絞りポジションに配置され、撮像時に第１絞りポジションから開口部分を変化させることにより撮影光学系の光束を調整する絞りと、非撮像時に第１シャッタポジションに配置されることにより撮影光学系から撮像素子への光を遮光し、撮像時に第１シャッタポジションから移動することにより遮光を解除するシャッタと、被写界を観察するためのファインダ光学系と、非撮像時に撮影光学系からの光束をファインダ光学系に導く第１ミラーポジションと、撮像時に撮影光学系から撮像素子に至る光路から退避する第２ミラーポジションとに選択的に配置される可動式のミラーとを備えた電子カメラにおいて、第１の電池および第２の電池の少なくとも一方から電子カメラ（電力供給対象の機器）への電力を供給する際に、以下の処理を行う。すなわち、撮像後に、絞りを第１絞りポジションに戻す動作とシャッタを第１シャッタポジションに戻す動作とミラーを第１ミラーポジションに戻す動作との少なくとも１つの動作の際は、第１の電池および第２の電池の両方から電子カメラへと電力を供給する。したがって、絞りを第１絞りポジションに戻す動作、シャッタを第１シャッタポジションに戻す動作、ミラーを第１ミラーポジションに戻す動作という負荷の大きい動作時には、第１の電池および第２の電池の両方から電子カメラへと電力を供給することにより十分な電力供給を行うことができる。
【００４０】
なお、第１実施形態では、駆動切換スイッチ３９は、ＳＷ１とＳＷ２との２つのスイッチを備える例を示したが、動作の負荷の変動に応じて、駆動切換スイッチ３９の構成を変更しても良い。すなわち、動作の負荷の変動が頻繁に起こる場合にはスイッチの数を増やして、電力供給の切換も頻繁に行うようにすれば良い。また、動作の負荷の変動に応じて、電極部４７の形状を適宜定めるようにすれば良い。
【００４１】
＜第２実施形態＞
以下、図面を用いて本発明の第２実施形態について説明する。第２実施形態では、第１実施形態と同様に、本発明の電源制御装置を備えた電子カメラを例に挙げて説明を行う。なお、第２実施形態では、第１実施形態と異なる部分についてのみ説明を行う。また、第１実施形態と同様の部分については、第１実施形態と同じ符号を用いており、説明は省略し、相違点について説明する。
【００４２】
第２実施形態の電子カメラ５１は、第１実施形態の電子カメラ１と同様の外観を有する。
図５は、電子カメラ５１の機能ブロック図である。第２実施形態の第１実施形態との相違点は、第１実施形態の駆動切換スイッチ３９のパターン板４６にかえて、電子カメラ５１が、ミラー検出スイッチ５２とシャッタ検出スイッチ５３とを備えることである。ミラー検出スイッチ５２は、ミラー２３の状態を検知する。ミラー検出スイッチ５２は、撮像後のチャージ駆動によりミラー２３が撮像前の状態（図５実線の状態）に戻ったことを検知すると、スイッチをＯＮとして後述するＣＰＵ５４に通知する。シャッタ検出スイッチ５３は、シャッタ２４の状態を検知する。シャッタ検出スイッチ５３は、撮像後のチャージ駆動によりシャッタ２４が撮像前の状態（シャッタ幕を閉じた状態）に戻ったことを検知すると、スイッチをＯＮとして後述するＣＰＵ５４に通知する。
【００４３】
また、電子カメラ５１は、内部に不図示のメモリを備えたＣＰＵ５４を備える。ＣＰＵ５４は、第１実施形態の電子カメラ１のＣＰＵ４１と同様に、画像処理回路２６、メモリ２７、ＣＣＤ駆動回路３２、レンズ用モータ駆動回路３５、メインモータ駆動回路３６、電力供給回路３７の各部を制御する。また、ＣＰＵ５４は、レリーズスイッチ３８、ミラー検出スイッチ５２、シャッタ検出スイッチ５３の状態を検知する。また、ＣＰＵ５４は、内部の不図示のメモリに、各部を制御するためのプログラムを予め記録する。
【００４４】
以上説明した構成の電子カメラ５１における電力供給時のＣＰＵ５４の動作について、図６のフローチャートを用いて説明する。
ステップＳ２１において、ＣＰＵ５４は、電子カメラ５１の電源がＯＮされたか否かを判定する。そして、ＣＰＵ５４は、電源がＯＮされるとステップＳ２２に進む。
ステップＳ２２において、ＣＰＵ５４は、電力供給回路３７を制御し、電池１５Ａおよび電池１５Ｂのうち何れかの電池１個から電力供給を行う。なお、電池１５Ａおよび電池１５Ｂのうち、何れの電池を使用するかは予めユーザにより指定されているものとする。
【００４５】
ステップＳ２３において、ＣＰＵ５４は、レリーズスイッチ３８がＯＮされたか否かを判定する。そして、ＣＰＵ５４は、レリーズスイッチ３８がＯＮされたと判定するとステップＳ２４に進む。
ステップＳ２４において、ＣＰＵ５４は、ミラー用電磁石２３Ａを駆動する駆動回路２３Ｂおよび絞り用電磁石２２Ａを駆動する駆動回路２２Ｂに駆動命令を出力する。
【００４６】
ミラー用電磁石２３Ａを駆動する駆動回路２３Ｂは、ＣＰＵ５４の駆動命令に基づいて、ミラー用電磁石２３ＡをＯＮにする。ミラー用電磁石２３Ａは、ＯＮになることにより、ミラー２３の保持を解除する。ミラー用電磁石２３Ａの保持が解除されたミラー２３は、不図示のばねの付勢力により跳ね上げ状態となる。
絞り用電磁石２２Ａを駆動する駆動回路２２は、ＣＰＵ５４の駆動命令に基づいて、絞り用電磁石２２ＡをＯＮにする。絞り用電磁石２２Ａは、ＯＮになることにより、絞り２２の保持を解除する。絞り用電磁石２２Ａの保持が解除された絞り２２は、不図示のばねの付勢力により絞り込まれる。そして、絞り２２は、予め設定された絞り値まで絞り込まれた位置で不図示の係止部材によって係止される。
【００４７】
絞り値は、予めユーザにより設定されているか、ＣＰＵ５４により設定されているものとする。
ステップＳ２５において、ＣＰＵ５４は、駆動回路２４Ｂを駆動することによりシャッタ２４を保持しているシャッタ用電磁石２４Ａを駆動して、シャッタ２４を開放させる。そして、シャッタ用電磁石２４Ａの保持から解放されたシャッタ２４は不図示のばねの付勢力により移動する。
【００４８】
ステップＳ２６において、ＣＰＵ５４は、露光が完了したか否かを判定する。そして、ＣＰＵ５４は、露光が完了したと判定するとステップＳ２７に進む。
ステップＳ２７において、ＣＰＵ５４は、メインモータ駆動回路３６に、ミラーチャージ・絞りチャージ開始命令を出力する。
ミラーチャージ・絞りチャージ開始命令に基づいて、メインモータ駆動回路３６は、メインモータ３４にモータ駆動信号を出力し始める。メインモータ３４はモータ駆動信号により回転する。
【００４９】
メインモータ駆動回路３６は、ＣＰＵ５４の命令に基づいて、絞り２２の絞り開口が最大となるようにメインモータ３４を駆動する。またメインモータ駆動回路３６は、ＣＰＵ５４の命令に基づいて、ミラー２３を通常状態の位置まで移動するようにメインモータ３４を駆動する。
上述の一連の動作は、メインモータ３４の駆動力が絞り用ギア２９とミラー用ギア３０とのそれぞれに伝達されることにより、同時に進行する。
【００５０】
ステップＳ２８において、ＣＰＵ５４は、ミラー検出スイッチ５２がＯＮされたか否かを判定する。そして、ＣＰＵ５４は、ミラー検出スイッチ５２がＯＮされるとステップＳ２９に進む。ミラー検出スイッチ５２がＯＮされると、ＣＰＵ５４は、ミラーチャージが終了したと判断することができる。
ステップＳ２９において、ＣＰＵ５４は、電力供給回路３７を制御し、電池１５Ａおよび電池１５Ｂの両方から電力供給を行う。このとき、電力供給回路３７は、電池１５Ａおよび電池１５Ｂを並列接続して電力供給を行う。
【００５１】
ステップＳ３０において、ＣＰＵ５４は、シャッタチャージを開始する。具体的には、ＣＰＵ５４は、メインモータ駆動回路３６を介してメインモータ３４を駆動させる。そして、メインモータ３４は、シャッタ用ギア３１を駆動してシャッタ２４を撮像前の状態（シャッタ幕を閉じた状態）に移動する。
ステップＳ３１において、ＣＰＵ５４は、シャッタ検出スイッチ５３がＯＮされたか否かを判定する。そして、ＣＰＵ５４は、シャッタ検出スイッチ５３がＯＮされるとステップＳ３２に進む。シャッタ検出スイッチ５３がＯＮされると、ＣＰＵ５４は、シャッタチャージが終了したと判断する。
【００５２】
ステップＳ３２において、ＣＰＵ５４は、電力供給回路３７を制御し、ステップＳ２２と同様に、電池１５Ａおよび電池１５Ｂのうち何れかの電池１個から電力供給を行う。
そして、ステップＳ３２の処理を終えると、ＣＰＵ５４は、ステップＳ２３に戻り、上述の処理を繰り返す。
以上説明したように、第２実施形態によれば、第１実施形態と同様に、第１の電池および第２の電池の少なくとも一方から電子カメラ（電力供給対象の機器）への電力の供給において、第１負荷動作の際は第１の電池から電子カメラへと電力を供給する第１電力供給を行い、第１負荷動作よりも負荷の大きい第２負荷動作の際は第１の電池および第２の電池の両方から電子カメラへと電力を供給する第２電力供給を行う。したがって、撮像時に変動する動作の負荷に合わせて、電力供給を切り換えることにより、電池の性能を十分に発揮することができる。
【００５３】
第２実施形態においては、絞り用電磁石２２ＡＯＮ、ミラー用電磁石２３ＡＯＮ、シャッタ用電磁石２４ＡＯＮ、ＣＣＤ２５の駆動、絞り２２およびミラー２３をメインモータ３４により撮像前の位置に移動することが、第１負荷動作である。そして、シャッタ２４をメインモータ３４により撮像前の位置に移動することが、第２負荷動作である。第２負荷動作は、第１負荷動作よりも負荷の大きい動作である。
【００５４】
また、第２実施形態によれば、第２負荷動作の終了の検知に基づいて、第２電力供給から第１電力供給に切り換える。したがって、第２負荷動作の開始のタイミングと同期して電力供給を切り換えることができる。
＜第３実施形態＞
以下、図面を用いて本発明の第３実施形態について説明する。第３実施形態では、第１実施形態と同様に、本発明の電源制御装置を備えた電子カメラを例に挙げて説明を行う。なお、第３実施形態では、第１実施形態と異なる部分についてのみ説明を行う。また、第１実施形態と同様の部分については、第１実施形態と同じ符号を用いており、説明は省略し、相違点について説明する。
【００５５】
第３実施形態の電子カメラ６１は、第１実施形態の電子カメラ１と同様の外観を有する。
図７は、電子カメラ６１の機能ブロック図である。第３実施形態の第１実施形態との相違点は、第１実施形態の駆動切換スイッチ３９のパターン板４６にかえて、電子カメラ６１が、残量検出部６２Ａと残量検出部６２Ｂとを備えることである。残量検出部６２Ａは、バッテリーパック３に充填された電池１５Ａの電池残量を検出して後述するＣＰＵ６３に通知する。また、残量検出部６２Ｂは、バッテリーパック３に充填された電池１５Ｂの電池残量を検出して後述するＣＰＵ６３に通知する。
【００５６】
また、電子カメラ６１は、内部に不図示のメモリを備えたＣＰＵ６３を備える。ＣＰＵ６３は、第１実施形態の電子カメラ１のＣＰＵ４１と同様に、画像処理回路２６、メモリ２７、ＣＣＤ駆動回路３２、レンズ用モータ駆動回路３５、メインモータ駆動回路３６、電力供給回路３７の各部を制御する。また、ＣＰＵ６３は、レリーズスイッチ３８、残量検出部６２Ａ、残量検出部６２Ｂの状態を検知する。また、ＣＰＵ６３は、内部の不図示のメモリに、各部を制御するためのプログラムを予め記録する。
【００５７】
以上説明した構成の電子カメラ６１における電力供給時のＣＰＵ６３の動作について、図８のフローチャートを用いて説明する。
ステップＳ４１において、ＣＰＵ６３は、電子カメラ６１の電源がＯＮされたか否かを判定する。そして、ＣＰＵ６３は、電源がＯＮされるとステップＳ４２に進む。
ステップＳ４２において、ＣＰＵ６３は、電池残量検出をＯＮする。ＣＰＵ６３は、残量検出部６２Ａおよび残量検出部６２Ｂから電池１５Ａおよび電池１５Ｂの電池残量を取得し始める。
【００５８】
ステップＳ４３において、ＣＰＵ６３は、電池１５Ａおよび電池１５Ｂの少なくとも一方の電池残量が所定値未満であるか否かを判定する。ＣＰＵ６３は、電池残量が所定値未満である場合にはステップＳ４４に進み、電池残量が所定値以上である場合にはステップＳ４５に進む。
ステップＳ４４において、ＣＰＵ６３は、電力供給回路３７を制御し、電池１５Ａおよび電池１５Ｂの両方から電力供給を行う。このとき、電力供給回路３７は、電池１５Ａおよび電池１５Ｂを並列接続して電力供給を行う。
【００５９】
ステップＳ４５において、ＣＰＵ６３は、電力供給回路３７を制御し、電池１５Ａおよび電池１５Ｂのうち何れかの電池１個から電力供給を行う。なお、電池１５Ａおよび電池１５Ｂのうち、何れの電池を使用するかは予めユーザにより指定されているものとする。
そして、ステップＳ４４またはステップＳ４５の処理を終えると、ＣＰＵ６３は、ステップＳ４３に戻り、上述の処理を繰り返す。
【００６０】
以上説明したように、第３実施形態によれば、第１の電池および第２の電池の少なくとも一方から電子カメラ（電力供給対象の機器）への電力の供給において、第１の電池および第２の電池の電池残量を判別し、第１の電池および第２の電池の少なくとも一方の電池残量が所定値未満であると判別すると、第１の電池および第２の電池の両方から電子カメラへと電力を供給する。また、第３実施形態によれば、第１の電池および第２の電池の電池残量が所定値以上であると判別すると、第１の電池から電子カメラへと電力を供給する。したがって、電池残量に合わせて、電力供給を切り換えることにより、電池の性能を十分に発揮することができる。
【００６１】
なお、第３実施形態では、第１の電池および第２の電池の両方の電池残量を測定する例を示したが、第１の電池のみ電池残量の測定を行うことにより構成を簡略化しても良い。
＜第４実施形態＞
以下、図面を用いて本発明の第４実施形態について説明する。第４実施形態では、第１実施形態と同様に、本発明の電源制御装置を備えた電子カメラを例に挙げて説明を行う。なお、第４実施形態では、第１実施形態と異なる部分についてのみ説明を行う。また、第１実施形態と同様の部分については、第１実施形態と同じ符号を用いており、説明は省略し、相違点について説明する。
【００６２】
第４実施形態の電子カメラ７１は、第１実施形態の電子カメラ１と同様の外観を有する。
図９は、電子カメラ７１の機能ブロック図である。第４実施形態の第１実施形態との相違点は、第１実施形態の駆動切換スイッチ３９のパターン板４６にかえて、電子カメラ７１が、温度測定部７２を備えることである。温度測定部７２は、レンズ用ギア２８、絞り用ギア２９、ミラー用ギア３０、シャッタ用ギア３１の近傍に配置される。温度測定部７２は、電子カメラ１内の温度を測定し、測定結果を後述するＣＰＵ７３に通知する。
【００６３】
また、電子カメラ７１は、内部に不図示のメモリを備えたＣＰＵ７３を備える。ＣＰＵ７３は、第１実施形態の電子カメラ１のＣＰＵ４１と同様に、画像処理回路２６、メモリ２７、ＣＣＤ駆動回路３２、レンズ用モータ駆動回路３５、メインモータ駆動回路３６、電力供給回路３７の各部を制御する。また、ＣＰＵ７３は、レリーズスイッチ３８、温度測定部７２の状態を検知する。また、ＣＰＵ７３は、内部の不図示のメモリに、各部を制御するためのプログラムを予め記録する。
【００６４】
以上説明した構成の電子カメラ７１における電力供給時のＣＰＵ７３の動作について、図１０のフローチャートを用いて説明する。
ステップＳ５１において、ＣＰＵ７３は、電子カメラ７１の電源がＯＮされたか否かを判定する。そして、ＣＰＵ７３は、電源がＯＮされるとステップＳ５２に進む。
ステップＳ５２において、ＣＰＵ７３は、温度測定をＯＮする。ＣＰＵ７３は、温度測定部７２から測定結果を取得し始める。
【００６５】
ステップＳ５３において、ＣＰＵ７３は、温度測定部７２により測定した温度が所定値未満であるか否かを判定する。ＣＰＵ７３は、温度が所定値未満である場合にはステップＳ５４に進み、温度が所定値以上である場合にはステップＳ５５に進む。
ステップＳ５４において、ＣＰＵ７３は、電力供給回路３７を制御し、電池１５Ａおよび電池１５Ｂの両方から電力供給を行う。このとき、電力供給回路３７は、電池１５Ａおよび電池１５Ｂを並列接続して電力供給を行う。
【００６６】
ステップＳ５５において、ＣＰＵ７３は、電力供給回路３７を制御し、電池１５Ａおよび電池１５Ｂのうち何れかの電池１個から電力供給を行う。なお、電池１５Ａおよび電池１５Ｂのうち、何れの電池を使用するかは予めユーザにより指定されているものとする。
そして、ステップＳ５４またはステップＳ５５の処理を終えると、ＣＰＵ７３は、ステップＳ５３に戻り、上述の処理を繰り返す。
【００６７】
以上説明したように、第４実施形態によれば、第１の電池および第２の電池の少なくとも一方から電子カメラ（電力供給対象の機器）への電力の供給において、電子カメラ内の温度を測定し、測定した温度が所定値未満である場合は、第１の電池および第２の電池の両方から電子カメラへと電力を供給する。また、第４実施形態によれば、測定した温度が所定値以上である場合は、第１の電池から電子カメラへと電力を供給する。すなわち、低温時は負荷が大きいので、第１の電池および第２の電池の両方から電子カメラへと電力を供給することにより十分な電力供給を行うことができる。したがって、温度に合わせて、電力供給を切り換えることにより、電池の性能を十分に発揮することができる。
【００６８】
＜第５実施形態＞
以下、図面を用いて本発明の第５実施形態について説明する。第５実施形態では、第１実施形態と同様に、本発明の電源制御装置を備えた電子カメラを例に挙げて説明を行う。なお、第５実施形態では、第１実施形態と異なる部分についてのみ説明を行う。また、第１実施形態と同様の部分については、第１実施形態と同じ符号を用いており、説明は省略し、相違点について説明する。
【００６９】
第５実施形態の電子カメラ８１は、第１実施形態の電子カメラ１と同様の外観を有する。
図１１は、電子カメラ８１の機能ブロック図である。第５実施形態の第１実施形態との相違点は、第１実施形態の駆動切換スイッチ３９のパターン板４６にかえて、電子カメラ８１が、充填判別部８２Ａと充填判別部８２Ｂとを備えることである。充填判別部８２Ａは、バッテリーパック３に電池１５Ａが充填されているか否かを検出して後述するＣＰＵ８３に通知する。充填判別部８２Ｂは、バッテリーパック３に電池１５Ｂが充填されているか否かを検出して後述するＣＰＵ８３に通知する。
【００７０】
また、電子カメラ８１は、内部に不図示のメモリを備えたＣＰＵ８３を備える。ＣＰＵ８３は、第１実施形態の電子カメラ１のＣＰＵ４１と同様に、画像処理回路２６、メモリ２７、ＣＣＤ駆動回路３２、レンズ用モータ駆動回路３５、メインモータ駆動回路３６、電力供給回路３７の各部を制御する。また、ＣＰＵ８３は、レリーズスイッチ３８、充填判別部８２Ａ、充填判別部８２Ｂの状態を検知する。また、ＣＰＵ８３は、内部の不図示のメモリに、各部を制御するためのプログラムを予め記録する。
【００７１】
以上説明した構成の電子カメラ８１における電力供給時のＣＰＵ８３の動作について、図１２のフローチャートを用いて説明する。
ステップＳ６１において、ＣＰＵ８３は、電子カメラ８１の電源がＯＮされたか否かを判定する。そして、ＣＰＵ８３は、電源がＯＮされるとステップＳ６２に進む。
ステップＳ６２において、ＣＰＵ８３は、電池個数判別をＯＮする。ＣＰＵ８３は、充填判別部８２Ａおよび充填判別部８２Ｂによる判別結果に基づいて、バッテリーパック３に充填された電池の個数を判別し始める。
【００７２】
ステップＳ６３において、ＣＰＵ８３は、ステップＳ６２で判別した電池の個数が２個であるか否かを判別する。ＣＰＵ８３は、電池が２個である場合にはステップＳ６４に進み、電池が２個でない（１個である）場合にはステップＳ６５に進む。
ステップＳ６４において、ＣＰＵ８３は、電力供給回路３７を制御し、電池１５Ａおよび電池１５Ｂの両方から電力供給を行う。このとき、電力供給回路３７は、電池１５Ａおよび電池１５Ｂを並列接続して電力供給を行う。
【００７３】
ステップＳ６５において、ＣＰＵ８３は、電力供給回路３７を制御し、電池１５Ａおよび電池１５Ｂのうち、バッテリーパック３に充填されている方の電池から電力供給を行う。
そして、ステップＳ６４またはステップＳ６５の処理を終えると、ＣＰＵ８３は、通常の撮影モードへと移行する。
【００７４】
以上説明したように、第５実施形態によれば、第１の電池および第２の電池の少なくとも一方から電子カメラ（電力供給対象の機器）への電力の供給において、充填された電池の個数を判別し、複数の電池が充填されたと判別することに基づき、複数の電池のうち少なくとも２個の電池から電子カメラへと電力を供給し、１個の電池が充填されたと判別することに基づき、１個の電池から電子カメラへと電力を供給する。したがって、充填された電池の個数に合わせて、電力供給を切り換えることにより、電池の性能を十分に発揮することができる。
【００７５】
＜第６実施形態＞
以下、図面を用いて本発明の第６実施形態について説明する。第６実施形態では、第１実施形態と同様に、本発明の電源制御装置を備えた電子カメラを例に挙げて説明を行う。なお、第６実施形態では、第１実施形態と異なる部分についてのみ説明を行う。また、第１実施形態と同様の部分については、第１実施形態と同じ符号を用いており、説明は省略し、相違点について説明する。
【００７６】
第６実施形態の電子カメラ９１は、第１実施形態の電子カメラ１と同様の外観を有する。
図１３は、電子カメラ９１の機能ブロック図である。第６実施形態の第１実施形態との相違点は、第１実施形態の駆動切換スイッチ３９のパターン板４６にかえて、電子カメラ９１が、焦点調節モード設定スイッチ９２を備えることである。焦点調節モード設定スイッチ９２は、ユーザ操作に基づく焦点調節モードの設定に使用される。なお、第６実施形態の電子カメラ９１は、第１の焦点調節モードと第２の焦点調節モードとを備える。第１の焦点調節モードは、通常の焦点調節モードである。第１の焦点調節モードは、撮影レンズ２１が合焦したと電子カメラ９１が判断することに基づいて、焦点調節動作を終了するモードである。第２の焦点調節モードは、コンティニュアスの焦点調節モードである。第２の焦点調節モードは、撮影レンズ２１が合焦したと電子カメラ９１が判断した後も焦点調節動作を継続して行うモードである。焦点調節モード設定スイッチ９２は、第１の焦点調節モードと第２の焦点調節モードとのうち、何れの焦点調節モードが設定されたかを検知して後述するＣＰＵ９３に通知する。
【００７７】
また、電子カメラ９１は、内部に不図示のメモリを備えたＣＰＵ９３を備える。ＣＰＵ９３は、第１実施形態の電子カメラ１のＣＰＵ４１と同様に、画像処理回路２６、メモリ２７、ＣＣＤ駆動回路３２、レンズ用モータ駆動回路３５、メインモータ駆動回路３６、電力供給回路３７の各部を制御する。また、ＣＰＵ９３は、レリーズスイッチ３８、焦点調節モード設定スイッチ９２の状態を検知する。また、ＣＰＵ９３は、内部の不図示のメモリに、各部を制御するためのプログラムを予め記録する。
【００７８】
以上説明した構成の電子カメラ９１における電力供給時のＣＰＵ９３の動作について、図１４のフローチャートを用いて説明する。
ステップＳ７１において、ＣＰＵ９３は、電子カメラ９１の電源がＯＮされたか否かを判定する。そして、ＣＰＵ９３は、電源がＯＮされるとステップＳ７２に進む。
ステップＳ７２において、ＣＰＵ９３は、焦点調節モード設定スイッチ９２により設定された焦点調節モードが第２の焦点調節モードであるか否かを判定する。ＣＰＵ９３は、焦点調節モードが第２の焦点調節モードである場合にはステップＳ７３に進み、焦点調節モードが第２の焦点調節モードでない（第１の焦点調節モードである）場合にはステップＳ７４に進む。
【００７９】
ステップＳ７３において、ＣＰＵ９３は、電力供給回路３７を制御し、電池１５Ａおよび電池１５Ｂの両方から電力供給を行う。このとき、電力供給回路３７は、電池１５Ａおよび電池１５Ｂを並列接続して電力供給を行う。
ステップＳ７４において、ＣＰＵ９３は、電力供給回路３７を制御し、電池１５Ａおよび電池１５Ｂのうち何れかの電池１個から電力供給を行う。なお、電池１５Ａおよび電池１５Ｂのうち、何れの電池を使用するかは予めユーザにより指定されているものとする。
【００８０】
そして、ステップＳ７３またはステップＳ７４の処理を終えると、ＣＰＵ９３は、ステップＳ７２に戻り、上述の処理を繰り返す。
以上説明したように、第６実施形態によれば、撮影光学系を介した被写体像を撮像する撮像手段と、撮影光学系の焦点を調節する焦点調節手段と、撮影光学系が合焦したか否かを判断する合焦判断手段と、撮影レンズが合焦したと合焦判断手段が判断することに基づいて、焦点調節手段による焦点調節動作を終了する第１の焦点調節モードと、撮影レンズが合焦したと合焦判断手段が判断した後も焦点調節手段による焦点調節動作を継続して行う第２の焦点調節モードとの何れかの焦点調節モードを設定する焦点調節モード設定手段を備えた電子カメラにおいて、第１の電池および第２の電池の少なくとも一方から電子カメラ（電力供給対象の機器）への電力を供給する際に、以下の処理を行う。すなわち、焦点調節モード設定手段の設定に応じて第１の電池から電子カメラへ電力を供給する第１電力供給と、第１の電池および第２の電池の両方から電子カメラへ電力を供給する第２電力供給との何れかを設定する。また、第６実施形態によれば、焦点調節モード設定手段が第１の焦点調節モードを設定することに基づいて第１電力供給を設定し、焦点調節モード設定手段が第２の焦点調節モードを設定することに基づいて第２電力供給を設定する。すなわち、第２の焦点調節モード実行時は動作の負荷が大きいので、第１の電池および第２の電池の両方から電子カメラへと電力を供給することにより十分な電力供給を行うことができる。したがって、焦点調節モードに応じて、電力供給を切り換えることにより、電池の性能を十分に発揮することができる。
【００８１】
なお、上記各実施形態では、２個の電池から電力供給を行う際に、電力供給回路３７は、電池１５Ａおよび電池１５Ｂを並列接続して電力供給を行う例を示したが、電池１５Ａおよび電池１５Ｂを直列接続して電力供給を行う構成としても良い。また、並列と直列と適宜を切り換える構成としても良い。
また、第５実施形態を除く上記各実施形態では、１個の電池から電力供給を行う際に、電池１５Ａおよび電池１５Ｂのうち、何れの電池を使用するかは予めユーザにより指定されている例を示したが、本発明はこの例に限定されない。例えば、電池残量に応じて電子カメラが指定する構成としても良い。
【００８２】
また、上記各実施形態を適宜組み合わせて実行するようにしても良い。
また、第１実施形態、第２実施形態、第６実施形態で例を挙げた負荷の大きい動作の他の動作にも、本発明を同様に適用することができる。例えば、撮影レンズ鏡筒の繰り出し動作などを負荷の大きい動作として、電力供給を切り換える構成としても良い。
また、上記各実施形態では、バッテリーパック内に２つの電池を充填可能な例を示したが、３つ以上の電池を充填可能な場合にも本発明を同様に適用することができる。また、一次電池にも本発明を同様に適用することができる。また、バッテリーパックではなく、カメラ本体内に充填可能な電池についても本発明を同様に適用することができる。さらに、一部の電池がカメラの本体内に充填可能で、他の電池が外付け可能な場合についても本発明を同様に適用することができる。
【００８３】
また、上記各実施形態では、電子カメラを例に挙げて説明を行ったが、銀塩フィルムに画像を記録するカメラにも本発明を適用することができる。銀塩フィルム用カメラの場合は、フィルム装填室とフィルム給装装置とを備えれば良い。フィルム装填室は３５ｍｍフィルムのパトローネを装填するためのものである。フィルム給装装置は、フィルム装填室から上記各実施形態のＣＣＤ２５に相当する位置に銀塩フィルムを給装する装置である。
【００８４】
銀塩フィルム用カメラの場合は、上記各実施形態のＣＣＤ２５、画像処理回路２６、メモリ２７は不要である。
銀塩フィルム用カメラのＣＰＵの制御は、上記各実施形態の電子カメラの場合と同じであるので説明は省略する。
また、上記各実施形態では、バッテリーパックを着脱可能な電子カメラを例に挙げて説明を行ったが、電源制御装置を搭載可能であれば、他の機器にも本発明を同様に適用することができる。例えば、ノート型コンピュータなどにも本発明を同様に適用することができる。
【図面の簡単な説明】
【００８５】
【図１】第１実施形態の電子カメラ１の外観図である。
【図２】第１実施形態の電子カメラ１の機能ブロック図である。
【図３】駆動切換スイッチ３９について説明する図である。
【図４】第１実施形態の電子カメラ１の動作を示すフローチャートである。
【図５】第２実施形態の電子カメラ５１の機能ブロック図である。
【図６】第２実施形態の電子カメラ５１の動作を示すフローチャートである。
【図７】第３実施形態の電子カメラ６１の機能ブロック図である。
【図８】第３実施形態の電子カメラ６１の動作を示すフローチャートである。
【図９】第４実施形態の電子カメラ７１の機能ブロック図である。
【図１０】第４実施形態の電子カメラ７１の動作を示すフローチャートである。
【図１１】第５実施形態の電子カメラ８１の機能ブロック図である。
【図１２】第５実施形態の電子カメラ８１の動作を示すフローチャートである。
【図１３】第６実施形態の電子カメラ９１の機能ブロック図である。
【図１４】第６実施形態の電子カメラ９１の動作を示すフローチャートである。
【符号の説明】
【００８６】
１・５１・６１・７１・８１・９１，電子カメラ  １５Ａ・１５Ｂ，電池  ２１，撮影レンズ  ２２，絞り  ２３，ミラー  ２４，シャッタ  ３７，電力供給回路  ３９，駆動切換スイッチ  ４１・５４・６３・７３・８３・９３，ＣＰＵ  ５２，ミラー検出スイッチ  ５３，シャッタ検出スイッチ  ６２Ａ・６２Ｂ，残量検出部  ７２，温度測定部  ８２Ａ・８２Ｂ，充填判別部  ９２，焦点調節モード設定スイッチ                                                                                
【図１】
2007017702.tif 000003
【図２】
2007017702.tif 000004
【図３】
2007017702.tif 000005
【図４】
2007017702.tif 000006
【図５】
2007017702.tif 000007
【図６】
2007017702.tif 000008
【図７】
2007017702.tif 000009
【図８】
2007017702.tif 000010
【図９】
2007017702.tif 000011
【図１０】
2007017702.tif 000012
【図１１】
2007017702.tif 000013
【図１２】
2007017702.tif 000014
【図１３】
2007017702.tif 000015
【図１４】
2007017702.tif 000016